(57)【要約】【課題】別の遊技機で用いられる遊技機構成部材を取り付けるための占有空間に対する不正行為を防止する。【解決手段】パチンコ機は、中枠の下中枠部２１に設けられ、別のパチンコ機で用いられる中枠スピーカーユニットを取り付け可能な中枠取付部４０と、中枠取付部４０に配設され、中枠スピーカーユニットを該中枠取付部４０に取り付けた場合に該中枠スピーカーユニットが占める占有空間Ｓを分割または充塞して、該占有空間Ｓに対する不正部品の設置を阻む保護部材５０とを備えている。【選択図】図８
2014061030.tif 000002
【特許請求の範囲】
【請求項１】
遊技盤が設置される本体枠と、この本体枠の前側に着脱可能に取り付けられる装飾枠とを備えた遊技機において、
前記本体枠および前記装飾枠の一方に設けられ、別の遊技機で用いられる遊技機構成部材を取り付け可能な取付部と、
前記取付部に配設され、前記遊技機構成部材を該取付部に取り付けた場合に該遊技機構成部材が占める占有空間を分割または充塞して、該占有空間に対する不正部品の設置を阻む保護部材とを備えた
ことを特徴とする遊技機。
【請求項２】
前記保護部材は、内部を透視可能に構成された請求項１記載の遊技機。
【請求項３】
前記保護部材は、前記取付部に取り付けられる第１保護部と該第１保護部に組み合わせた第２保護部とにより内部空間を有する箱状に形成されると共に、該内部空間を分割して内部空間に対する不正部品の設置を阻む区画壁が形成された請求項１または２記載の遊技機。
【請求項４】
前記本体枠および前記装飾枠における前記取付部の形成側と反対側に設けられ、前記保護部材と共に前記占有空間を分割または充塞して、該占有空間に対する不正部品の設置を阻む第２の保護部材を備えた請求項１〜３の何れか一項に記載の遊技機。
【請求項５】
前記本体枠および前記装飾枠における前記取付部の形成側と反対側に設けられた設置部には、前記別の遊技機で前記取付部に取り付けられる遊技機構成部材と対応する機能を有する遊技機構成部材が配設され、該設置部が前記第２の保護部材として、装飾枠を本体枠に対して閉じた状態で前記占有空間の一部を分割または充塞するよう構成された請求項４記載の遊技機。
【発明の詳細な説明】
【技術分野】
【０００１】
この発明は、遊技盤を設置可能な本体枠とこの本体枠に配設した装飾枠とを備えた遊技機に関するものである。
【背景技術】
【０００２】
代表的な遊技機であるパチンコ機には、遊技店の設置枠台に固定される固定枠としての外枠の開口前面側に、遊技盤が着脱可能に保持された本体枠としての中枠が開閉および着脱可能に組み付けられている。中枠の前面側には、遊技盤を透視保護するガラス板を備えた装飾枠としての前枠が開閉および着脱可能に組み付けられ、前枠が遊技者から視認可能なパチンコ機の前面を構成している。そして、中枠や前枠には、スピーカー等の遊技機構成部材が配設されている。
【０００３】
例えば特許文献１に開示のパチンコ機(第１のパチンコ機)のように、中枠における遊技盤保持部の下方に、前方に開口する中枠取付部を形成し、この中枠取付部にスピーカーを取り付けたものがある。また、特許文献２に開示のパチンコ機(第２のパチンコ機)のように、前枠における遊技窓の下方に、前方に開口する前枠取付部を形成し、この前枠取付部にスピーカーを取り付けたものもある。このように、スピーカー等の遊技機構成部材は、パチンコ機毎に設置箇所が異なることが多い。
【先行技術文献】
【特許文献】
【０００４】
【特許文献１】特開２００５−２１８８５２号公報
【特許文献２】特開２０１０−１７８９４１号公報
【発明の概要】
【発明が解決しようとする課題】
【０００５】
例えば、第１のパチンコ機で採用した中枠を第２のパチンコ機でも用いる場合に、第２のパチンコ機では、前枠にスピーカーがあるので、中枠にスピーカーを設置しなくてもよい。そして、中枠にスピーカーを設置しない第２のパチンコ機では、第１のパチンコ機において中枠の中枠取付部にスピーカーを取り付けた際に該スピーカーが占める占有空間が空いてしまうことになる。第２のパチンコ機において、前記占有空間を空けたまま残しておくと、不正の利益を得る目的で配線の途中に接続される不正基板などの不正部品が占有空間に配設されたり、占有空間を介して中枠内部に不正なアクセスが図られるなど、占有空間が不正行為に用いられるおそれがある。すなわち、占有空間を空けたままでは、中枠または前枠を複数のパチンコ機で共用化することはできない。
【０００６】
すなわち本発明は、従来の技術に係る遊技機に内在する前記問題に鑑み、これらを好適に解決するべく提案されたものであって、別の遊技機で用いられる遊技機構成部材を取り付けるための占有空間に対する不正行為を防止し得る遊技機を提供することを目的とする。
【課題を解決するための手段】
【０００７】
前記課題を克服し、所期の目的を達成するため、本願の請求項１に係る発明の遊技機は、
遊技盤(13)が設置される本体枠(12)と、この本体枠(12)の前側に着脱可能に取り付けられる装飾枠(14)とを備えた遊技機において、
前記本体枠(12)および前記装飾枠(14)の一方に設けられ、別の遊技機(P2)で用いられる遊技機構成部材(110)を取り付け可能な取付部(40)と、
前記取付部(40)に配設され、前記遊技機構成部材(110)を該取付部(40)に取り付けた場合に該遊技機構成部材(110)が占める占有空間(S)を分割または充塞して、該占有空間(S)に対する不正部品の設置を阻む保護部材(50)とを備えたことを要旨とする。
請求項１に係る発明によれば、別の遊技機で用いられる遊技機構成部材を取り付け可能な取付部に保護部材を配設して、遊技機構成部材を取付部に取り付けた場合に該遊技機構成部材が占める占有空間を保護部材によって分割または充塞しているので、占有空間に対する不正部品の設置などの不正行為を防止することができる。これにより、別の遊技機との間において、本体枠または装飾枠の共用化を図り得る。
【０００８】
請求項２に係る発明では、前記保護部材(50)は、内部を透視可能に構成されたことを要旨とする。
請求項２に係る発明によれば、保護部材の内部を透視可能であるので、保護部材に対して不正行為があったか否かを判別し易い。
【０００９】
請求項３に係る発明では、前記保護部材(50)は、前記取付部に取り付けられる第１保護部(52)と該第１保護部(52)に組み合わせた第２保護部(58)とにより内部空間(50a)を有する箱状に形成されると共に、該内部空間(50a)を分割して内部空間(50a)に対する不正部品の設置を阻む区画壁(54,61)が形成されたことを要旨とする。
請求項３に係る発明によれば、保護部材を中空箱状に形成することで、保護部材の軽量化を図り得ると共に、保護部材の内部空間を分割するように形成された区画壁により、内部空間に対する不正部品の設置などの不正行為を防止することができる。
【００１０】
請求項４に係る発明では、前記本体枠(12)および前記装飾枠(14)における前記取付部(40)の形成側と反対側に設けられ、前記保護部材(50)と共に前記占有空間(S)を分割または充塞して、該占有空間(S)に対する不正部品の設置を阻む第２の保護部材(35)を備えたことを要旨とする。
請求項４に係る発明によれば、本体枠および装飾枠の一方に配設された保護部材と、本体枠および装飾枠における取付部の形成側と反対側に設けた第２の保護部材とによって占有空間を分割または充塞しているので、占有空間に対する不正部品の設置などの不正行為を防止することができる。
【００１１】
請求項５に係る発明では、前記本体枠(12)および前記装飾枠(14)における前記取付部(40)の形成側と反対側に設けられた設置部(35)には、前記別の遊技機(P2)で前記取付部(40)に取り付けられる遊技機構成部材(110)と対応する機能を有する遊技機構成部材(32)が配設され、該設置部(35)が前記第２の保護部材として、装飾枠(14)を本体枠(12)に対して閉じた状態で前記占有空間(S)の一部を分割または充塞するよう構成されたことを要旨とする。
請求項５によれば、本体枠および装飾枠の一方に配設された保護部材と、本体枠および装飾枠における取付部の形成側と反対側に設けた遊技機構成部材の設置部とによって、装飾枠を本体枠に閉じた状態で占有空間を分割または充塞しているので、占有空間に対する不正部品の設置などの不正行為を防止することができる。
【発明の効果】
【００１２】
本発明に係る遊技機によれば、別の遊技機で用いられる遊技機構成部材を取り付けるための占有空間に対する不正行為を防止し得る。
【図面の簡単な説明】
【００１３】
【図１】実施例に係るパチンコ機を前側から示す正面図である。
【図２】実施例のパチンコ機を後側から示す概略斜視図である。なお、遊技盤は取り外した状態にある。
【図３】実施例のパチンコ機を前側から示す正面図であって、前枠を取り外した状態を示す。
【図４】実施例の前枠を示す背面図である。
【図５】実施例の前枠を前側から示す分解斜視図である。
【図６】図１のＡ−Ａ線断面図である。
【図７】図１のＢーＢ線で破断した断面図である。
【図８】実施例の下中枠部を示す概略斜視図であり、(ａ)は正面視であり、(ｂ)は背面視である。
【図９】実施例の下中枠部を、保護部材を取り外した状態で示す概略斜視図であり、(ａ)は正面視であり、(ｂ)は背面視である。
【図１０】実施例の保護部材を分解した状態で示す概略斜視図であり、(ａ)は正面視であり、(ｂ)は背面視である。
【図１１】別のパチンコ機を前側から示す概略斜視図であり、(ａ)は前枠を中枠に対して閉じた状態を示し、(ｂ)は前枠を開放した状態を示す。
【図１２】別のパチンコ機における下中枠部を示す概略斜視図であり、(ａ)は正面視であり、(ｂ)は背面視である。
【図１３】別のパチンコ機において、図１のＢ−Ｂ線に相当する位置で破断した断面図である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側から見た状態で指称する。
【実施例】
【００１５】
(パチンコ機Ｐ１について)
図１および図２に示すように、実施例に係るパチンコ機Ｐ１は、矩形枠状に形成されて遊技店の図示しない設置枠台に固定される固定枠としての外枠１１の開口前面側に、遊技盤１３(図３参照)が着脱可能に保持された本体枠としての中枠１２が開閉および着脱可能に組み付けられている。また、遊技盤１３の裏側には、各種演出用の図柄を変動表示可能な図柄表示装置(図示せず)が着脱可能に配設されている。中枠１２の前面側には、中枠１２に設置された遊技盤１３を透視保護する透視保護板１５を備えた装飾枠としての前枠１４が開閉可能に組み付けられると共に、前枠１４の下方にパチンコ球を貯留する下球皿１６が組み付けられる。そして、前枠１４の下部には、下球皿１６の上側に位置して、パチンコ球を貯留する上球皿１７が組み付けられており、前枠１４の開閉に合わせて下球皿１６および上球皿１７も一体的に開閉するよう構成される。また、中枠１２には、下球皿１６の右側に位置するように回動操作可能な操作ハンドル１８が配設されており、該操作ハンドル１８の回動操作によって中枠１２の下部に設けられた球発射装置１９(図３参照)により上球皿１７に貯留したパチンコ球が遊技盤１３の遊技領域１３ａに向けて打ち出されるようになっている。なお、下球皿１６および上球皿１７は、前枠１４と別体に形成して中枠１２に対して開閉可能に組み付けるようにしてもよい。
【００１６】
(中枠１２について)
図３に示すように、中枠１２は、外枠１１の開口形状に略整合すると共に上方側に偏った位置で前後に開口する矩形枠状に形成されており、該中枠１２の左上部位置および左下部位置に、当該中枠１２と外枠１１とを着脱および開閉可能に連結するヒンジ部２０が設けられている。すなわち、中枠１２は、ヒンジ部２０を介して左側部が外枠１１に対して開閉可能に軸支される。図５に示すように、中枠１２は、球発射装置１９などの各種遊技機構成部材が設置される下中枠部２１と、この下中枠部２１の左右の側部に設けられて中枠１２の左右側縁をなす左右の横中枠部２２,２３と、該左右の横中枠部４５,４６の上端部に設けられて中枠１２の上縁をなす上中枠部２４とから構成されて、これら各中枠部２１〜２４を組み付けた際に、全体が外枠１１の開口形状に整合する大きさの枠体状に形成される。そして、これら各中枠部２１〜２４を組み付けた際に画成される開口部１２ａの開口内側に、遊技盤１３が着脱可能に設置されている。なお、実施例では中枠１２を構成する中枠部２１〜２４が独立した部材であるが、中枠部２１〜２４のうちの複数または全てを樹脂等で一体成形することも可能である。
【００１７】
(前枠１４について)
図１,図４および図５に示すように、前枠１４は、外枠１１の開口形状に略整合する矩形状に形成された前枠基体部２８に、前後に貫通する窓口１４ａが開口する枠状に形成されており、該前枠１４を中枠１２に対して閉鎖した状態で、遊技盤１３に形成された遊技領域１３ａが窓口１４ａを介して前方に露出するよう構成されている。そして、前枠基体部２８の後面側には、窓口１４ａの開設位置に対応してガラス板等の透明な透視保護板１５が着脱可能に配設されており、パチンコ機Ｐ１の前側から遊技盤１３を視認可能な状態で透視保護している。なお、図４では、前枠１４に取り付けられる透視保護板１５の図示を省略すると共に、中枠１２の下中枠部２１に配設される球発射装置１９を参考のため図示してある。また、前枠１４の左上部位置および左下部位置は、前記ヒンジ部２０に対して着脱および開閉可能に連結される。すなわち、前枠１４は、ヒンジ部２０を介して左側部が中枠１２に対して開閉可能に軸支され、前枠１４を中枠１２に対して閉じた際に、中枠１２の前面全体が前枠１４で被覆されるよう構成されている。
【００１８】
前記前枠１４における前枠基体部２８の前面には、窓口１４ａの周囲を囲繞するよう飾り部材３０が配設されると共に、この飾り部材３０の後側にランプ装置(図示せず)が配設されて、パチンコ機Ｐ１の前面を装飾している。また、前枠１４には、窓口１４ａの上側位置に、一対の上部スピーカーユニット３１が左右に離間して配設されると共に、下球皿１６と操作ハンドル１８との間に下部スピーカーユニット３２が配設されている。すなわち、ランプ装置に設けられたＬＥＤ等の発光体を点灯・点滅したり、スピーカーユニット３１,３２から適宜の音声や効果音を出力することで、図柄表示装置での図柄変動表示などに合わせて発光演出や音声演出を行い得るよう構成される。
【００１９】
(下部スピーカーユニット３２について)
図５に示すように、下部スピーカーユニット３２は、スピーカー本体３２ａ(図７参照)が箱状ケース３３に収容されており、箱状ケース３３の前面に振動板が臨んでいる。下部スピーカーユニット３２は、前枠基体部２８の下部前面左側に配設された下球皿１６の下球皿本体３４と、前枠基体部２８の下部前面右側に設けられた操作ハンドル１８との間に設けられた前枠設置部３５に配設される。前枠設置部３５は、前枠基体部２８の後面よりも後方へ突出する突出部３５ａを有する前方に開口した凹状に形成され、前枠１４を中枠１２に対して閉じた際に、突出部３５ａが中枠１２に設けられた後述する中枠取付部４０の前側に重なるよう構成される(図７参照)。下部スピーカーユニット３２は、後部を凹状の前枠設置部３５に嵌め込こんだ状態でネジで固定され、前枠基体部の下部に配設される下部飾りカバー部材３６の内側に下球皿本体３４と共に収納される。なお、図５の符号３７は、上球皿１７を有する上部飾りカバー部材である。
【００２０】
(遊技盤１３について)
前記遊技盤１３には、遊技領域１３ａが前面に設けられるベニヤ板や透明なアクリル板からなる板状本体の後側に配設した裏ユニットとも呼ばれる設置部材(図示せず)に、各種図柄を変動表示可能な図柄表示装置が配設される。遊技盤１３には、図柄表示装置の表示部に対応する位置に前後に開口する表示開口部(図示せず)が開設され、該表示開口部に所要の装飾を施したセンター役物とも称される装飾部材(図示せず)で囲うようになっている。また、遊技盤１３の所要位置には、パチンコ球の入賞により図柄表示装置の図柄を変動開始させる始動入賞装置や、大当りの発生時に開放する特別入賞装置(何れも図示せず)等が配設されている。また、遊技盤１３の所要位置には、モータやソレノイド等の駆動手段の駆動により動作する可動物を備えた可動演出装置や、ＬＥＤ等の発光体の点灯・点滅により発光演出を行う発光装置(何れも図示せず)が配設される。なお、実施例のパチンコ機Ｐ１では、図柄表示装置として、液晶画面からなる表示部で各種演出表示を行う液晶タイプが採用されるが、図柄表示装置としては、ドラム式の図柄表示装置やドットマトリックス式の図柄表示装置等の各種図柄を停止および変動表示可能な従来公知の各種の表示装置を採用し得る。
【００２１】
(パチンコ機Ｐ１の制御構成)
図２に示すように、パチンコ機Ｐ１の裏側には、当該パチンコ機Ｐ１を全体的に制御する主制御装置や、可動演出装置や発光装置を制御したり、前枠に設けられるランプ装置やスピーカーユニット３１,３２などを制御する統括制御装置や、図柄表示装置を制御する表示制御装置(何れも図示せず)などの各種制御装置が配設されている。また、中枠１２における下中枠部２１の裏側には、賞球や貸し球の払い出しを制御する払出制御装置Ｃ１などが配設されている。主制御装置は、遊技盤１３に備えた入賞装置の入賞センサなどの各種検出センサ(検出手段)からの検出信号などに基づいて各種処理を実行し、その処理結果に応じた各種の制御信号(制御コマンド)を統括制御装置に出力する。そして、統括制御装置は、主制御装置が出力した制御信号(制御コマンド)に基づいて、表示制御装置を制御すると共に、ランプ装置や発光装置の点灯・消灯のタイミングや発光強度等を制御し、スピーカーユニット３１,３２からの音声出力のタイミングや大きさ等を制御するよう構成されており、パチンコ機Ｐ１で実行される各種遊技演出(図柄変動演出や発光演出、音声演出)を統括的にコントロールし得るようになっている。また、払出制御装置Ｃ１は、入賞センサの検出信号や上球皿１７に設けられた貸し球ボタン１７ａの操作信号などにより主制御装置から出力された制御信号に基づいて、球払出装置により所定数のパチンコ球を払い出すように制御する。
【００２２】
(中枠１２の下中枠部２１について)
図８に示すように、下中枠部２１の前面中央部には、上球皿１７から球送り装置により送り込まれたパチンコ球を遊技盤１３の遊技領域１３ａに向けて打ち出す球発射装置１９が配設されている。また、下中枠部２１の左側位置には、上球皿１７に入らなかったパチンコ球を下球皿１６に案内する案内通路２６ａと、球発射装置１９から打ち出したものの遊技領域１３ａに到達せずに流下するパチンコ球(ファール球)を回収して下球皿１６に案内する回収通路２６ｂとを有する通路形成部２６が設けられている。更に、図８および図９に示すように、下中枠部２１の右側位置には、別のパチンコ機Ｐ２(図１１参照)で用いられる中枠スピーカーユニット(遊技機構成部材)１１０(図１１(ｂ)および図１２参照)を取り付け可能な中枠取付部(取付部)４０が設けられ、この中枠取付部４０に保護部材５０が配設されている。すなわち、実施例の下中枠部２１は、別のパチンコ機Ｐ１において中枠取付部４０に中枠スピーカーユニット１１０を配設して用いられ、中枠取付部４０とは別の部位にスピーカーユニット３１,３２を配設する仕様の前記パチンコ機Ｐ１と、中枠取付部４０にスピーカーユニット１１０を配設する仕様の別のパチンコ機Ｐ２との間で、下中枠部２１が共用される。
【００２３】
(中枠取付部４０について)
図９に示すように、前記中枠取付部４０は、前記中枠スピーカーユニット１１０に合わせて形成されており、下中枠部２１に前後に貫通形成された取付開口４１と、この取付開口４１の周縁部に形成され、上下左右が壁で囲われた取付段部４２とを備えている。また、中枠取付部４０における取付段部４２の前面には、前方へ突出する取付ボス４３が、上下および左右に互いに離間して複数(実施例では４つ)形成されている。そして、取付ボス４３は、前方に開口するネジ孔４３ａを有しており、このネジ孔４３ａにネジＮを螺合して、保護部材５０が固定される。
【００２４】
(保護部材５０について)
図６および図７に示すように、前記保護部材５０は、前記中枠取付部４０に配設することで、中枠スピーカーユニット１１０を中枠取付部４０に取り付けた場合に該中枠スピーカーユニット１１０が占める占有空間Ｓ(図７の２点鎖線および図１３参照)を分割または充塞して、該占有空間Ｓに対する不正部品の設置を阻むよう構成される。図１０に示すように、保護部材５０は、該保護部材５０の前側部分を構成する第１保護部５２と、該保護部材５０の後側部分を構成する第２保護部５８とによって、内部空間５０ａを有する箱状に形成されている。ここで、不正部品とは、例えば、始動入賞装置や特別入賞装置などの入賞装置を誤作動させたり、予め設定された制御条件とは異なった制御条件で前記払出制御装置Ｃ１などの制御装置に遊技を実行させるためなど、不正の利益を得る目的で設置される基板や装置、器具等を指している。また、占有空間Ｓを分割するとは、不正行為に用いられる不正部品の大きさを想定して、この想定した不正部品が設置できない大きさで占有空間Ｓを、単独の保護部材５０または複数の保護部材５０,３５によって、分断または区分けすることである。更に、占有空間Ｓを充塞するとは、占有空間Ｓに合わせた外形形状で形成された保護部材５０または組み合わせた際に占有空間Ｓに合わせた外形形状になる複数の保護部材５０,３５によって占有空間Ｓを占めて、想定した不正部品が設置可能なスペースを残さないことである。
【００２５】
(占有空間Ｓについて)
ここで、前記占有空間Ｓとは、図１２および図１３に示すように、中枠取付部４０に配設した中枠スピーカーユニット１１０が三次元的に占める領域をいう。すなわち、中枠取付部４０に前側から取り付けられた中枠スピーカーユニット１１０は、中間部分１１０ａが取付段部４２の内側に嵌り込んで該取付段部４２に整合すると共に、取付開口４１に嵌合した後部突出部分１１０ｂが下中枠部２１の裏側に突出する(図１２(ｂ)参照)。また、中枠スピーカーユニット１１０は、中間部分１１０ａから左側から右側に向かうにつれて前方に突出する前部突出部分１１０ｃが、下中枠部２１の前面よりも前方に突出する(図１２(ａ)参照)。そして、中枠スピーカーユニット１１０の前部突出部分１００ｃは、該前部突出部分１１０ｃの前面に設けられた振動板１１０ｄが、別のパチンコ機Ｐ２で用いる別の前枠１０４を中枠１２に対して閉じた際に、該別の前枠１００の下部に設けられた音出力口１００ａに臨む。このように、中枠取付部４０に配設した中枠スピーカーユニット１１０は、中枠取付部４０だけでなく、中枠１２における下中枠部２１の前面および別の前枠１４の後面の間の所定領域と、下中枠部２１の後側の所定領域とを充塞している。
【００２６】
(第１保護部５２について)
前記第１保護部５２は、ポリカーボネート等の透明な合成樹脂からなる成形品であって、外周壁５３が中枠取付部４０における取付段部４２の内周面に整合する外形形状とされた後方に開口する略トレイ状に形成される(図１０参照)。また、第１保護部５２の後面には、第１区画壁５４が外周壁５３の内側に上下および左右に延在する格子状に形成されており、この第１区画壁５４によって第１保護部５２の前壁および外周壁５３で囲われる空間が、前記不正部品の設置不能な小空間に分割される。なお、第１区画壁５４は、その後端が外周壁５３の後端に揃ったものと、後端が外周壁５３の後端よりも前側に位置しているものとがある。第１保護部５２の下部右側には、前方へ膨出する前方膨出部５５が形成され(図１０(ａ)参照)、この前方膨出部５５が前枠１４における前枠基体部２８の後面との間を充塞するようになっている。第１保護部５２には、前壁を貫通する通孔５６が、中枠取付部４０の取付ボス４３に対応して上下左右に離間して４箇所に形成されている。そして、第１保護部５２は、前壁後面を中枠取付部４０の取付ボス４３の前端に突き当てると共に、前側から通孔５６に挿通したネジＮを取付ボス４３のネジ孔４３ａに螺合して中枠取付部４０に取り付け可能になっている。なお、第１保護部５２における前壁後面には、通孔５６を囲うように嵌合片５２ａが立設され、中枠取付部４０への取り付け時に取付ボス４３が嵌合片５２ａの内側に嵌合するようになっている。このように、第１保護部５２は、第２保護部５８を組み合わせることなく単独でも中枠取付部４０に取り付け可能であり、中枠取付部４０に取り付けた際に、取付開口４１を覆うと共に取付段部４２の内側を塞ぐように構成される。
【００２７】
(第２保護部５８について)
前記第２保護部５８は、第１保護部５２と同様にポリカーボネート等の透明な合成樹脂からなる成形品である。図１０に示すように、第２保護部５８は、前方に開口する箱状の後方膨出部５９と、この後方膨出部５９の前端から上方、下方および左側方への三方に延びる鍔部６０とを有する略ハット形状に形成される。第２保護部５８は、後方膨出部５９の右側縁および鍔部６０の外周縁で構成される外周縁前部が、中枠取付部４０における取付段部４２の内周面に略整合する外形形状に形成されると共に、後方膨出部５９の外周壁で構成される外周縁後部が、中枠取付部４０の取付開口４１に整合する外形形状に形成される。また、後方膨出部５９の内側には、第２区画壁６１が上下および左右に延在する格子状に形成されており、この第２区画壁６１によって後方膨出部５９の内側の空間が、前記不正部品の設置不能な小空間に分割される。ここで、第２区画壁６１は、その前端が鍔部６０の前面に揃えて形成される(図１０(ａ)参照。そして、第２保護部５８には、鍔部６０の左上部、左下部および右下部に、中枠取付部４０の取付ボス４３に対応して、前後に貫通するボス孔６２が形成されると共に、後方膨出部５９の右上部に、中枠取付部４０における右上部の取付ボス４３に対応してボス凹部６３が形成される。
【００２８】
図６および図７に示すように、保護部材５０は、第１保護部５２の外周壁５３の後端と、第２保護部５８の前面外周縁に前方に突出形成された突片６４とを突き当てて組み合わせられ、第１保護部５２と第２保護部５８との間に内部空間５０ａが画成される。そして、内部空間５０ａは、第１区画壁５４および第２区画壁６１によって所定サイズの前記不正部品を設置することができない空間に分割される。保護部材５０では、第２保護部５８の第２区画壁６１の間隔よりも第１保護部５２の第１区画壁５４の間隔が細かく形成されている。また、保護部材５０では、第２保護部５８の後方膨出部５９に向かい合う第１保護部５２の第１区画壁５４が、隣り合う第２区画壁６１の間にずらして配置されており、内部空間５０ａが細かく分割されている。ここで、内部空間５０ａを分割するとは、不正行為に用いられる不正部品の大きさを想定して、この想定した不正部品が設置できない大きさで内部空間５０ａを区画壁５４,６１で分断または区分けすることを意味する。すなわち、区画壁５４,６１同士の間隔または区画壁５４,６１と内部空間５０ａを画成する外壁との間隔が、想定した不正部品の縦・横・厚さの何れかよりも小さく設定されると共に、想定された不正部品が設置不能な分割スペースを画成するように、区画壁５４,６１が適宜配置される。また、透明な第１保護部５２および第２保護部５８を組み合わせた保護部材５０は、内部を透視可能に構成され、内部空間５０ａを外側から確認できるようになっている。
【００２９】
前記保護部材５０は、第１保護部５２と第２保護部５８とを組み合わせた際に、第１保護部５２の右上部に設けた通孔５６が、第２保護部５８の右上部に凹設されたボス凹部６３を介して後方に露出するよう構成される(図９(ｂ)参照)。保護部材５０は、中枠取付部４０の右上部の取付ボス４３を除く他の取付ボス４３をボス孔６２に挿通すると共に、前側から通孔５６を介して取付ボス４３のネジ孔４３ａにネジＮを螺合することで、第２保護部５８が取付段部４２と第１保護部５２との間に挟持された状態で取り付けられる。これにより、保護部材５０は、第２保護部５８の後方膨出部５９が中枠取付部４０の取付開口４１に嵌合して、占有空間Ｓの後側を充塞し、第１保護部５２および第２保護部５８の鍔部６０が取付段部４２に嵌合して占有空間Ｓの中間部を充塞する。また、前枠１４を中枠１２に対して閉じた際に、中枠取付部４０より前方に突出する保護部材５０の前方膨出部５５が、前枠１４における前枠基体部２８の後面に沿って不正部品を設置可能な間隔を空けることなく延在し、前方膨出部５５により占有空間Ｓの前側の一部を充塞するようになっている。このように、保護部材５０は、中枠取付部４０に配設した際に、前記占有空間Ｓの大部分を充塞すると共に、下中枠部２１を前後に貫通する取付開口４１を塞ぐよう構成される。
【００３０】
(第２の保護部材３５について)
前記中枠１２および前枠１４のうちで中枠取付部４０の形成側と反対側となる前枠１４には、保護部材５０と共に前記占有空間Ｓを充塞または分割して、該占有空間Ｓに対する不正部品の設置を阻む第２の保護部材として機能する前枠設置部３５が設けられている。前述した如く、前枠設置部３５には、別のパチンコ機Ｐ２で中枠取付部４０に配設される中枠スピーカーユニット１１０と同種の機能を有する遊技機構成部材としての下部スピーカーユニット３２が配設される(図５参照)。図７に示すように、前枠１４に設けられた前枠設置部３５は、後方に突出する突出部３５ａを備えており、前枠１４を中枠１２に対して閉じた状態で突出部３５ａが保護部材５０における前方膨出部５５の左側領域に重なるよう構成される。突出部３５ａの後面は、保護部材５０の前面に沿って不正部品を設置可能な間隔を空けることなく延在し、該突出部３５ａにより占有空間Ｓの前側の一部を充塞するようになっている。このように、パチンコ機Ｐ１では、中枠１２に設けた中枠取付部４０に配設した保護部材５０と、中枠１２および前枠１４のうちで中枠取付部４０の形成側と反対側となる前枠１４に設けた第２の保護部材として機能する前枠設置部３５とで分担して、前記占有空間Ｓを充塞している。なお、同種の機能を有する遊技機構成部材とは、別のパチンコ機Ｐ２で中枠取付部４０に配設される遊技機構成部材が例えば中枠スピーカーユニット１１０であれば、電気信号を音声に変換して出力し得るという基本的な機能が同じである装置を指し、出力やバスレフ型などの形式などは相違していてもよい。
【００３１】
(実施例の作用)
このように実施例のパチンコ機Ｐ１は、中枠取付部４０に配設した保護部材５０と前枠に設けた前枠設置部３５とによって、別のパチンコ機Ｐ２で用いられる中枠スピーカーユニット１１０を中枠取付部４０に取り付けた場合に占める占有空間Ｓを充塞しているので、占有空間Ｓに対して所定サイズの不正部品を設置する不正行為を防止することができる。しかも、保護部材５０は、下中枠部２１を前後に貫通する中枠取付部４０の取付開口４１を塞いでいるので、該中枠取付部４０に中枠スピーカーユニット１１０を配設した場合と同様に、取付開口４１を介する中枠１２の裏側へのアクセスを防止することができる。すなわち、中枠１２の裏側には、払出制御装置Ｃ１など、遊技者の利益に関連する制御を行う制御装置が配設されており、これらの制御装置は、不正行為の標的にされ易いので、占有空間Ｓを分割するのではなく、該占有空間Ｓを充塞することで、不正部品の設置だけでなく、不正な配線や不正行為を行うための針金等の不正具の挿通も防止することができ、高いレベルで不正防止を図り得る。このように、中枠取付部４０に中枠スピーカーユニット１１０を取り付けない仕様のパチンコ機Ｐ１であっても、保護部材３５,５０により占有空間Ｓに対する不正行為を適切に防止することができるので、別のパチンコ機Ｐ２で用いられる中枠１２を前記パチンコ機Ｐ１でも用いることができ、別のパチンコ機Ｐ２との間において、中枠１２の共用化を図り得る。
【００３２】
前記占有空間Ｓは、平面的ではなく三次元的な領域であるので、この占有空間を充塞するためにある程度の大きさが必要となるが、前記保護部材５０は、内部空間５０ａを有する箱状に形成されているので、軽量化することができる。また、保護部材５０は、内部空間５０ａを分割するように形成された区画壁５４,６１により、内部空間５０ａに対する不正部品の設置などの不正行為を防止することができる。そして、保護部材５０の内部を透視可能であるので、例えば区画壁５４,６１を破壊して不正部品を設置したり、不正な配線を通したりするなど、保護部材５０に対して不正行為があったか否かを判別し易い。ここで、保護部材５０は、該保護部材５０の前側を構成する第１保護部５２が透明に形成されているので、前枠１４を開放すれば、保護部材５０を中枠取付部４０から取り外すことなく、前側から内部空間５０ａを確認することができる。
【００３３】
前記前枠１４は、別のパチンコ機で中枠取付部４０に配設される中枠スピーカーユニット１１０と同種の機能を有する下部スピーカーユニット３２が、下球皿１６と操作ハンドル１８との間に配設されるが、下球皿１６や操作ハンドル１８などとの干渉を避けるために、下部スピーカーユニット３２が設置される前枠設置部３５は多くの制約を受ける。これと比べて、保護部材５０は、占有空間Ｓを充塞または分割して不正部品の設置を阻むことができれば足りるので、形状などの自由度が比較的高い。すなわち、前枠１４を中枠１２に対して閉じた状態で中枠取付部４０の前側に位置する前枠１４側の下部スピーカーユニット３２を設置するための前枠設置部３５を、占有空間Ｓに突出することで、該下部スピーカーユニット３２の配設スペースを前枠１４の後側に確保することができると共に、占有空間Ｓを充塞または分割して該占有空間Ｓへの不正部品の設置を阻むことができる。そして、中枠取付部４０に配設する保護部材５０の前部は、前枠１４における中枠取付部４０に臨む前枠設置部３５の突出部３５ａに合わせて適宜に形成することができ、実施例のように保護部材５０の前部を前枠設置部３５の突出部３５ａなどの前枠１４の後面に合わせて形成することで、占有空間Ｓを充塞することができる。なお、保護部材５０の前面および該保護部材５０に相対する前枠１４の後面は、互いに沿わせて形成されていなくても、保護部材５０と前枠１４との間を所定サイズの不正部品が設置不能な間隔になるよう構成して、保護部材５０と前枠１４とにより占有空間Ｓを分割してもよい。
【００３４】
(変更例)
なお、遊技機の構成としては、前述した実施例に示したものに限らず、種々の変更が可能である。
(１)別の遊技機で用いられる遊技機構成部材を取り付け可能な取付部を前枠に設け、取付部に遊技機構成部材を取り付けた場合に該遊技機構成部材が占める占有空間を、取付部に配設した保護部材によって分割または充塞する構成であってもよい。
(２)実施例では、取付部４０に配設した保護部材５０と、中枠１２および前枠１４のうちで取付部４０の形成側と反対側に設けた第２の保護部材３５とにより占有空間Ｓを充塞または分割する構成を説明したが、取付部４０に配設した保護部材５０だけで占有空間Ｓを充塞または分割してもよい。
(３)実施例では、箱状の保護部材５０によって占有空間Ｓを充塞する構成を説明したが、板体や棒状体などを組み合わせて構成した保護部材によって、実施例で説明した内部空間５０ａのように、占有空間Ｓを不正部品を設置不能な小空間に分割する構成であってもよい。
(４)別の遊技機で取付部に取り付けられる遊技機構成部材としては、スピーカーユニットに限定されず、例えば発光装置や通路形成部材など、その他の部材であってもよい。
(５)実施例では、遊技機としてパチンコ機を例示して説明したが、これに限られるものではなく、アレンジボール機やピンボール機、スロットマシン機等の各種遊技機を採用し得る。
【符号の説明】
【００３５】
１２ 中枠
１３ 遊技盤
１４ 前枠
３５ 前枠設置部(設置部)
４０ 中枠取付部(取付部)
５０ 保護部材
５０ａ 内部空間
５２ 第１保護部
５４ 第１区画壁(区画壁)
５８ 第２保護部
６１ 第２区画壁(区画壁)
１１０ 中枠スピーカーユニット(遊技機構成部材)
Ｐ２  別のパチンコ機(別の遊技機)
【図１】
2014061030.tif 000003
【図２】
2014061030.tif 000004
【図３】
2014061030.tif 000005
【図４】
2014061030.tif 000006
【図５】
2014061030.tif 000007
【図６】
2014061030.tif 000008
【図７】
2014061030.tif 000009
【図８】
2014061030.tif 000010
【図９】
2014061030.tif 000011
【図１０】
2014061030.tif 000012
【図１１】
2014061030.tif 000013
【図１２】
2014061030.tif 000014
【図１３】
2014061030.tif 000015